(57)【要約】【課題】軸線方向に関してコンパクト化が図られ、ハブとスペーサとの間のがたつきを抑制し、回転をスムーズに伝達することが可能なオルダム形の軸継手を提供する。【解決手段】原動軸ハブ８１及び従動軸ハブ８２は、軸線方向にスペーサ８３に向かって突出し、軸線中心に関して点対称をなす箇所に配置された２本の円柱形状の突起８１ａ、８２ａを備え、スペーサ８３は、円柱形状の突起８１ａ、８２ａを受け入れるものであって、軸線中心に関して放射状に延び且つ十字状に配置され、軸線方向に貫通する４箇所の長穴８３ａを備えるとともに、原動軸ハブ８１の２本の突起８１ａを結ぶ直径線と、従動軸ハブ８２の２本の突起８２ａを結ぶ直径線とが、軸線と直角をなす軸断面において直行するように４本の突起８１ａ、８２ａを、スペーサ８３の４箇所の長穴８３ａに挿入している。【選択図】図４
2008069914.tif 000002
【特許請求の範囲】
【請求項１】
共通軸線上に整列配置された原動軸、及び従動軸に対して、これらの両軸間に介在するスペーサを備え、スペーサが両軸間でスライド移動することにより、両軸の偏心、偏角を許容するオルダム形の軸継手において、
前記原動軸及び従動軸の両軸端に設けたハブは、軸線方向に前記スペーサに向かって突出し、軸線中心に関して点対称をなす箇所に配置された２本の突起を備え、前記スペーサは、前記突起を受け入れるものであって、軸線中心に関して放射状に延び、且つ十字状に配置され、軸線方向に貫通する４箇所の長穴を備えるとともに、原動軸側の２本の突起を結ぶ直径線と、従動軸側の２本の突起を結ぶ直径線とが、軸線と直角をなす軸断面において直行するように４本の突起を前記４箇所の長穴に各々挿入することを特徴とする軸継手。
【請求項２】
前記突起は、前記長穴に軽圧入されることを特徴とする請求項１に記載の軸継手。
【請求項３】
前記スペーサは、エラストマー樹脂で形成されることを特徴とする請求項１または請求項２に記載の軸継手。
【請求項４】
請求項１〜請求項３のいずれか１項に記載の軸継手を備えたことを特徴とする画像形成装置。
【発明の詳細な説明】
【技術分野】
【０００１】
本発明は、原動軸と従動軸とを連結する軸継手、特にオルダム形の軸継手に関する。また、この軸継手を備えた画像形成装置に関する。
【背景技術】
【０００２】
軸継手（カップリング）は、原動軸と従動軸との間で動力を伝達するための機械要素部品として一般的に広く用いられている。複写機やプリンタ等の画像形成装置において、軸継手は、給紙ローラやレジストローラ、帯電ローラ、現像ローラ、クリーニングローラ等への動力伝達用として用いられることがある。
【０００３】
軸継手には、フランジ形軸継手のように原動軸と従動軸とを強固に連結するものの他に、ゴムカップリング、オルダム形軸継手（オルダムカップリング）などように、両軸の偏心や偏角に対して柔軟に作用し、応答性を高めたものがある。このうち、オルダム形の軸継手は、共通軸線上に整列配置された原動軸、及び従動軸に対して、これらの両軸間に介在するスペーサを備え、スペーサが両軸間でスライド移動することにより、両軸の偏心、偏角を許容するものである。
【０００４】
オルダム形の軸継手は、一般的に、原動軸及び従動軸の両軸端にハブを備え、この２個のハブの間に、円盤形状のスペーサを備えている。各ハブには、軸線方向にスペーサに向かって突出し、軸線中心を通って直径方向に延びる直線突条が、各々１本ずつ形成されている。スペーサには、円盤の両平面に１本ずつ、各ハブの突条を受け入れるものであって、各々が軸線方向から見て直交するように配置された溝が形成されている。そして、各ハブの突条がスペーサの溝に各々係合し、突条と溝との間で滑りが生じることにより両軸の偏心、偏角を許容する。なお、ハブに溝が、スペーサに突条が形成されているタイプのオルダム形軸継手も存在する。
【０００５】
上記のようなオルダム形の軸継手を用いた電子写真装置（画像形成装置）の一例を、特許文献１に見ることができる。特許文献１に記載された電子写真装置では、感光体表面の静電潜像にトナーを供給して現像する現像ローラに動力を伝達するために、オルダムカップリングが適用されている。
【特許文献１】特許第３０２０５９７号公報（第２−３頁、図２）
【発明の開示】
【発明が解決しようとする課題】
【０００６】
特許文献１に記載された電子写真装置（画像形成装置）は、現像ローラに対する駆動伝達にオルダムカップリング（オルダム形軸継手）を適用することにより現像ローラの回転を安定させ、現像ローラと感光体との接触不良を抑制して、画像品質の低下を防止している。しかしながら、特許文献１に記載された構成のオルダムカップリングは、直線突条と溝との間でスライド移動するので、それらの接触箇所において「面」で滑りが生じている。これにより、ハブとスペーサとの間の接触面積が増大し、大きな摩擦抵抗が発生する可能性がある。したがって、原動軸から動力がうまく伝達せず、従動軸がスムーズに回転しない恐れがある。また、摩擦抵抗が大きいことにより磨耗し易いので、長時間の使用によりがたつきが発生する恐れもある。
【０００７】
そして、直線突条を受け入れる溝は、軸線中心を通って、円盤形状のスペーサの周面にまで延びているので、軸の回転力を受けて、周面の箇所が周方向に開くように変形したり、磨耗したりする可能性がある。したがって、がたつきの度合いをさらに助長してしまう恐れが高い。
【０００８】
また、スペーサは、円盤の両平面に溝を備えているので、その軸線方向の長さが長くなる恐れがある。その結果、軸線方向に装置が大型化するといった問題が発生する。
【０００９】
本発明は上記の点に鑑みなされたものであり、原動軸と従動軸との間に生じる偏心、偏角を許容するオルダム形の軸継手において、軸線方向に関してコンパクト化が図られ、原動軸及び従動軸の両軸端に設けたハブと、スペーサとの間のがたつきを抑制し、回転をスムーズに伝達することが可能な軸継手を提供することを目的とする。また、この軸継手を備えることにより軸の回転特性が向上し、一層高品質な画像を形成することが可能な画像形成装置を提供することを目的とする。
【課題を解決するための手段】
【００１０】
上記の課題を解決するため、本発明は、共通軸線上に整列配置された原動軸、及び従動軸に対して、これらの両軸間に介在するスペーサを備え、スペーサが両軸間でスライド移動することにより、両軸の偏心、偏角を許容するオルダム形の軸継手において、前記原動軸及び従動軸の両軸端に設けたハブは、軸線方向に前記スペーサに向かって突出し、軸線中心に関して点対称をなす箇所に配置された２本の突起を備え、前記スペーサは、前記突起を受け入れるものであって、軸線中心に関して放射状に延び、且つ十字状に配置され、軸線方向に貫通する４箇所の長穴を備えるとともに、原動軸側の２本の突起を結ぶ直径線と、従動軸側の２本の突起を結ぶ直径線とが、軸線と直角をなす軸断面において直行するように４本の突起を前記４箇所の長穴に各々挿入することとした。
【００１１】
また、上記構成の軸継手において、前記突起は、前記長穴に軽圧入されることとした。
【００１２】
また、上記構成の軸継手において、前記スペーサは、エラストマー樹脂で形成されることとした。
【００１３】
また本発明では、上記軸継手を画像形成装置に設けることとした。
【発明の効果】
【００１４】
本発明の構成によれば、原動軸と従動軸との間に生じる偏心、偏角を許容するオルダム形の軸継手において、原動軸及び従動軸の両軸端に設けたハブは、軸線方向にスペーサに向かって突出し、軸線中心に関して点対称をなす箇所に配置された２本の突起を備え、スペーサは、前記突起を受け入れるものであって、軸線中心に関して放射状に延び、且つ十字状に配置され、軸線方向に貫通する４箇所の長穴を備えるとともに、原動軸側の２本の突起を結ぶ直径線と、従動軸側の２本の突起を結ぶ直径線とが、軸線と直角をなす軸断面において直行するように４本の突起を前記４箇所の長穴に各々挿入することとしたので、突起の周面と長穴の内面との接触箇所を線状にすることができる。これにより、ハブとスペーサとの間の接触面積をできるだけ小さくすることができ、摩擦抵抗を低減することが可能である。また、長穴は、スペーサの周面まで延びることなく、周縁部で閉じているので、軸の回転力による変形や磨耗を抑制することができる。さらに、原動軸側の突起と従動軸側の突起とを受け入れる長穴が、軸線方向においてずれることなく各々形成されているので、スペーサの軸線方向長さを短くすることができる。このようにして、軸線方向に関してコンパクト化が図られ、原動軸及び従動軸の両軸端に設けたハブと、スペーサとの間のがたつきを抑制し、回転をスムーズに伝達することが可能な軸継手を得ることができる。
【００１５】
また、前記突起は、前記長穴に軽圧入されることとしたので、ハブとスペーサとの間のがたつきをさらに抑制することができる。そしてその軽圧入は、接触面積が小さい突起の周面と長穴の内面との間でなされるので、摩擦抵抗の増加をできるだけ抑制することが可能である。したがって、回転をスムーズに伝達するという効果をさらに高めることができる。
【００１６】
また、前記スペーサは、エラストマー樹脂で形成されることとしたので、好適な摺動性と弾性とを兼ね備えることになる。これにより、スペーサの、両軸の偏心によるスライド移動と、偏角による軸線方向の圧縮とが円滑に行われる。したがって、がたつきを抑制する作用がさらに高められ、回転をより一層スムーズに伝達することが可能である。
【００１７】
一方、従来のオルダム形軸継手の場合、偏心すると回転が伝達されない時間が生じ、その次に再び回転が伝達され始めると、その瞬間に強い衝撃が軸継手に発生する恐れがある。これにより、例えば感光体ドラム周辺の回転体にこの従来のオルダム形軸継手を使用し、画像形成中に上記衝撃が発生すると、画像不良が生じる可能性がある。そこで、本発明の軸継手を適用することで、スペーサの摺動性と弾性とにより、偏心に起因する回転が伝達されない時間をなくすことができ、画像不良の発生を防止することができる。このようにして、本発明では上記軸継手を画像形成装置に設けることとしたので、軸線方向に関して軸継手のコンパクト化が図られ、原動軸及び従動軸の両軸端に設けたハブと、スペーサとの間のがたつきを抑制して回転をスムーズに伝達できることにより軸の回転特性が向上し、一層高品質な画像を形成することが可能な画像形成装置を得ることができる。
【発明を実施するための最良の形態】
【００１８】
以下、本発明の実施形態を図１〜図５に基づき説明する。なお、この実施形態に係る軸継手は、画像形成装置において、帯電ローラ表面を回転しながらクリーニングするクリーニングブラシに対して備えられているものとする。
【００１９】
最初に、本発明の軸継手を備えた画像形成装置について、図１を用いてその構造の概略を説明しつつ、画像出力動作を説明する。図１は、本発明の実施形態に係る軸継手を備えた画像形成装置を示す模型的垂直断面左側面図である。図１において右方が画像形成装置の前面側、左方が背面側である。
【００２０】
図１に示すように、画像形成装置１の本体２の下部には、用紙収容部である用紙カセット３が配置されている。用紙カセット３の内部には、印刷前のカットペーパー等の用紙Ｐが積まれて収容されている。用紙カセット３の用紙搬送方向下流部、すなわち図１において右方の上方には、給紙ローラを備えた給紙装置４が配置されている。この給紙装置４により、用紙Ｐは図１において用紙カセット３の右上方に向けて、１枚ずつ分離して送り出される。
【００２１】
用紙カセット３の用紙搬送方向下流には、用紙搬送路５、レジストローラ６、画像形成部２０、及び転写部３０が配置されている。用紙カセット３から送り出された用紙Ｐは、用紙搬送路５を通ってレジストローラ６に到達する。レジストローラ６は、用紙Ｐの斜め送りを矯正しつつ、画像形成部２０で形成されるトナー画像とのタイミングを計り、用紙Ｐを転写部３０へと送り出す。
【００２２】
一方、外部コンピュータ（図示せず）からの文字や図形、模様等の画像データ信号が画像形成装置１に送信され、この画像データに基づき、画像形成部２０上方に備えられた光学部７にて制御されるレーザ光Ｌ（図中一点鎖線）が照射される。これにより、画像形成部２０においては、像担持体である感光体ドラム２１上に原稿画像の静電潜像が形成され、この静電潜像からトナー像が現像される。トナー像は、前記レジストローラ６によって同期をとって送られてきた用紙Ｐに、感光体ドラム２１と転写部３０の転写ローラ３１とが圧接して形成される転写ニップ部にて転写される。
【００２３】
画像形成部２０、及び転写部３０の用紙搬送方向下流には、定着部８、用紙搬送路９、及び用紙排出部１０が配置されている。転写部３０にて未定着トナー像を担持した用紙Ｐは、定着部８へと送られ、熱ローラと加圧ローラとによりトナー像が定着される。定着部８から排出された用紙Ｐは、用紙搬送路９を通って上方へ送られ、本体２の上面に設けられた用紙排出部１０に排出される。
【００２４】
続いて、画像形成装置１の画像形成部２０周辺の詳細な構成について、図１に加えて、図２を用いて説明する。図２は、画像形成部周辺を示す模型的垂直断面部分拡大左側面図である。
【００２５】
図１、及び図２に示すように、画像形成部２０には、その中心に像担持体である感光体ドラム２１が備えられている。そして、感光体ドラム２１の回転方向に沿って順に、帯電装置４０、現像装置５０、及びクリーニング装置７０が配置されている。転写部３０は、感光体ドラム２１の回転方向に沿って、現像装置５０とクリーニング装置７０との間に設けられている。
【００２６】
感光体ドラム２１は、画像形成装置１内の用紙搬送方向と直角をなす用紙幅方向、すなわち図２の紙面奥行き方向に延び、その軸線方向を水平にして配置されている。感光体ドラム２１は、アルミニウム等により構成される導電性ローラ状基体の外側に、真空蒸着等によって無機光導電性材料であるアモルファスシリコンの感光層を設けた無機感光体のドラムである。感光体ドラム２１は、図示しない駆動装置によって、その周速度が用紙搬送速度（２１０ｍｍ／ｓ）と同じになるように回転せしめられている。
【００２７】
帯電装置４０は、図２に示すように、そのハウジング４１の内側に、感光体ドラム２１に接触する帯電ローラ４２を備えている。帯電ローラ４２は、所定の圧力で感光体ドラム２１に圧接し、感光体ドラム２１の回転に従って回転する。この帯電ローラ４２により、感光体ドラム２１の表面が所定の極性及び電位で一様に帯電せしめられる。なお、ハウジング４１内には、感光体ドラム２１に対して帯電ローラ４２を隔てた位置にクリーニングブラシ４３が備えられている。クリーニングブラシ４３は、回転しながら帯電ローラ４２表面をクリーニングする。
【００２８】
現像装置５０は、図２に示すように、そのハウジング５１の内側に、現像ローラ５２を備えている。現像ローラ５２は、感光体ドラム２１に対して所定の間隙を設けて対面配置されている。そして、現像ローラ５２には、感光体ドラム２１の帯電極性と同極性のバイアスが印加される。この現像ローラ５２により、トナーが帯電せしめられるとともに感光体ドラム２１の表面に供給され、静電潜像が現像される。現像装置５０の上方には、図１に示すように、現像装置５０にトナーを補うためのトナー供給容器５３が設けられ、図示しない搬送手段によりトナーが補給される。
【００２９】
転写部３０には、図２に示すように、転写ローラ３１が備えられている。この転写ローラ３１が感光体ドラム２１に圧接し、用紙Ｐを挿通させる転写ニップ部を形成する。転写ローラ３１は、図示しない駆動装置によって、その周速度が感光体ドラム２１の周速度と同じになるように回転せしめられている。また、転写ローラ３１には、転写バイアスが必要に応じて印加される。なお、図２において、用紙Ｐの搬送経路を二点鎖線で描画している。
【００３０】
クリーニング装置７０は、図２に示すように、感光体ドラム２１の回転方向に沿って、転写ニップ部のさらに下流側に配置されている。クリーニング装置７０は、そのハウジング７１の内側に、クリーニングローラ７２、及びクリーニングブレード７３を備えている。クリーニングローラ７２、及びクリーニングブレード７３は、図示しないばね等の弾性部材により付勢され、感光体ドラム２１に押し付けられている。効率良くクリーニングを実施するために、クリーニングローラ７２は、図示しない駆動装置により、その周速度が感光体ドラム２１の周速度に対して１５〜２０％程度速くなるように、回転軸に関して感光体ドラム２１の回転方向と逆方向に回転せしめられている。このようなクリーニングローラ７２、及びクリーニングブレード７３によって、用紙Ｐへのトナー像の転写後、感光体ドラム２１表面に残留したトナーを除去してクリーニングする。感光体ドラム２１表面から除去されたトナーは、ハウジング７１内に回収される。
【００３１】
上記構成の画像形成装置１において本発明の軸継手は、前述のように、帯電ローラ４２表面を回転しながらクリーニングするクリーニングブラシ４３に対して備えられており、以下、その詳細を説明する。
【００３２】
本発明の実施形態に係る軸継手の詳細な構成について、図２に加えて、図３〜図５を用いて説明する。図３は軸継手とその周辺の斜視図、図４は軸線方向に分解した軸継手とその周辺の斜視図にして、従動軸側から見たもの、図５は軸線方向に分解した軸継手とその周辺の斜視図にして、原動軸側から見たものである。
【００３３】
図２に示す帯電装置４０に備えられたクリーニングブラシ４３の軸端には、図３に示す軸継手８０が備えられている。図２に示すクリーニングブラシ４３は、その両軸端がハウジング４１に支持され、その一端から回転のための動力が伝達される。図３に示す軸継手８０の箇所は、その動力が伝達される端部である。したがって、動力は、図３において右端から左方に向かって、クリーニングブラシ４３のブラシ部４３ａの方へと伝達されることとなる。このようなクリーニングブラシ４３の原動軸４３ｂと従動軸４３ｃとの間に、軸継手８０が配置されている。原動軸４３ｂの軸線方向外側の端部４３ｄには、図示しない駆動ギアが連結されている。
【００３４】
図３〜図５に示すように、軸継手８０は、原動軸４３ｂの端部に設けられた原動軸ハブ８１、従動軸４３ｃの端部に設けられた従動軸ハブ８２、及びスペーサ８３とを備えている。
【００３５】
原動軸４３ｂの端部に設けられた原動軸ハブ８１は、図４に示すように、その円盤平面に、２本の円柱形状の突起８１ａを備えている。２本の円柱形状の突起８１ａは、原動軸ハブ８１の円盤平面に、その底面を突き立てるようにして軸線方向にスペーサ８３に向かって突出する形で設けられている。そして、２本の円柱形状の突起８１ａは、円盤平面上で、軸線中心に関して点対称をなす箇所に配置されている。
【００３６】
従動軸４３ｃの端部に設けられた従動軸ハブ８２も、原動軸ハブ８１と同様に、図５に示すように、その円盤平面に、２本の円柱形状の突起８２ａを備えている。これら２本の円柱形状の突起８２ａもまた、原動軸ハブ８１に設けられた２本の円柱形状の突起８１ａと同様に構成されている。
【００３７】
スペーサ８３は、図３に示すように、軸線方向において、原動軸ハブ８１と従動軸ハブ８２との間に備えられている。スペーサ８３は、エラストマー樹脂で構成され、図３〜図５に示すように、軸線と直角をなす方向と平行に配置された円盤形状をなしている。
【００３８】
スペーサ８３は、その円盤平面に、軸線方向に貫通する４箇所の長穴８３ａを備えている。４箇所の長穴８３ａは、原動軸ハブ８１及び従動軸ハブ８２に設けられた突起８１ａ、８２ａを受け入れる大きさをなし、軸線中心に関して放射状に延び、且つ十字状に配置されている。
【００３９】
このような構成の軸継手８０において、原動軸ハブ８１、従動軸ハブ８２、及びスペーサ８３を連結すると、図３に示す構成となる。このとき、原動軸ハブ８１の２本の突起８１ａを結ぶ直径線と、従動軸ハブ８２の２本の突起８２ａを結ぶ直径線とが、軸線と直角をなす軸断面において直行するように４本の突起８１ａ、８２ａを、スペーサ８３の４箇所の長穴８３ａに挿入する。なお、突起８１ａ、８２ａは、長穴８３ａに軽圧入される。
【００４０】
上記のようにして、クリーニングブラシ４３の原動軸４３ｂと従動軸４３ｃとの間に生じる偏心、偏角を許容するオルダム形の軸継手８０において、原動軸４３ｂ及び従動軸４３ｃの両軸端に設けた原動軸ハブ８１及び従動軸ハブ８２は、軸線方向にスペーサ８３に向かって突出し、軸線中心に関して点対称をなす箇所に配置された２本の突起８１ａ、８２ａを備え、スペーサ８３は、前記突起８１ａ、８２ａを受け入れるものであって、軸線中心に関して放射状に延び、且つ十字状に配置され、軸線方向に貫通する４箇所の長穴８３ａを備えるとともに、原動軸ハブ８１の２本の突起８１ａを結ぶ直径線と、従動軸ハブ８２の２本の突起８２ａを結ぶ直径線とが、軸線と直角をなす軸断面において直行するように４本の突起８１ａ、８２ａを、スペーサ８３の４箇所の長穴８３ａに挿入しているので、円柱形状の突起８１ａ、８２ａの周面と長穴８３ａの内面との接触箇所を線状にすることができる。これにより、原動軸ハブ８１及び従動軸ハブ８２とスペーサ８３との間の接触面積をできるだけ小さくすることができ、摩擦抵抗を低減することが可能である。また、長穴８３ａは、スペーサ８３の周面まで延びることなく、周縁部で閉じているので、軸の回転力による変形や磨耗を抑制することができる。さらに、原動軸ハブ８１の２本の突起８１ａと従動軸ハブ８２の２本の突起８２ａとを受け入れる長穴８３ａが、軸線方向においてずれることなく各々形成されているので、スペーサ８３の軸線方向長さを短くすることができる。このようにして、軸線方向に関してコンパクト化が図られ、原動軸ハブ８１及び従動軸ハブ８２とスペーサ８３との間のがたつきを抑制し、回転をスムーズに伝達することが可能な軸継手８０を得ることができる。
【００４１】
また、円柱形状の突起８１ａ、８２ａは、長穴８３ａに軽圧入されているので、原動軸ハブ８１及び従動軸ハブ８２とスペーサ８３との間のがたつきをさらに抑制することができる。そして、その軽圧入は、接触面積が小さい円柱形状の突起８１ａ、８２ａの周面と長穴８３ａの内面との間でなされるので、摩擦抵抗の増加をできるだけ抑制することが可能である。したがって、回転をスムーズに伝達するという効果をさらに高めることができる。
【００４２】
さらに、スペーサ８３は、エラストマー樹脂で形成されているので、好適な摺動性と弾性とを兼ね備えることになる。これにより、スペーサ８３の、両軸の偏心によるスライド移動と、偏角による軸線方向の圧縮とが円滑に行われる。したがって、がたつきを抑制する作用がさらに高められ、回転をより一層スムーズに伝達することが可能である。
【００４３】
一方、従来のオルダム形軸継手の場合、偏心すると回転が伝達されない時間が生じ、その次に再び回転が伝達され始めると、その瞬間に強い衝撃が軸継手に発生する恐れがある。これにより、例えば感光体ドラム２１周辺の回転体にこの従来のオルダム形軸継手を使用し、画像形成中に上記衝撃が発生すると、画像不良が生じる可能性がある。そこで、本発明の軸継手８０を適用することで、スペーサ８３の摺動性と弾性とにより、偏心に起因する回転が伝達されない時間をなくすことができ、画像不良の発生を防止することができる。このようにして、本発明では上記軸継手８０を画像形成装置１に設けたので、軸線方向に関して軸継手８０のコンパクト化が図られ、原動軸ハブ８１及び従動軸ハブ８２とスペーサ８３との間のがたつきを抑制して回転をスムーズに伝達できることにより軸の回転特性が向上し、一層高品質な画像を形成することが可能な画像形成装置１を得ることができる。
【００４４】
以上、本発明の実施形態につき説明したが、本発明の範囲はこれに限定されるものではなく、発明の主旨を逸脱しない範囲で種々の変更を加えて実施することができる。
【００４５】
例えば、上記実施形態では、本発明の軸継手８０を、帯電ローラ４２表面を回転しながらクリーニングするクリーニングブラシ４３に対して利用したが、対象となる回転体はこれに限らず、用紙を搬送するために回転せしめられる給紙ローラや搬送ローラ、レジストローラ、或いは画像形成に使用される感光体ドラムや現像ローラなどの回転体に対して利用しても構わない。
【００４６】
また、原動軸ハブ８１及び従動軸ハブ８２に設けられた、各々２本の突起８１ａ、８２ａは、その形状が、上記実施形態で示したような円柱に限定されるわけではなく、角柱形状やその他の形状であっても構わない。同様に、突起８１ａ、８２ａを受け入れる長穴８３ａは、その形状が、上記実施形態で示したような所謂オーバル形に限定されるわけではなく、小判形や角形などの他の形状であっても構わない。
【産業上の利用可能性】
【００４７】
本発明は、原動軸と従動軸との間に生じる偏心、偏角を許容するオルダム形の軸継手において利用可能である。
【図面の簡単な説明】
【００４８】
【図１】本発明の実施形態に係る軸継手を備えた画像形成装置の模型的垂直断面左側面図である。
【図２】図１の画像形成部周辺を示す模型的垂直断面部分拡大左側面図である。
【図３】軸継手とその周辺の斜視図である。
【図４】軸線方向に分解した軸継手とその周辺の斜視図にして、従動軸側から見たものである。
【図５】軸線方向に分解した軸継手とその周辺の斜視図にして、原動軸側から見たものである。
【符号の説明】
【００４９】
１    画像形成装置
２０  画像形成部
４０  帯電装置
４３  クリーニングブラシ
４３ｂ  原動軸
４３ｃ  従動軸
８０  軸継手
８１  原動軸ハブ（ハブ）
８１ａ  突起
８２  従動軸ハブ（ハブ）
８２ａ  突起
８３  スペーサ
８３ａ  長穴
【図１】
2008069914.tif 000003
【図２】
2008069914.tif 000004
【図３】
2008069914.tif 000005
【図４】
2008069914.tif 000006
【図５】
2008069914.tif 000007